(57)【特許請求の範囲】
【請求項１】
機内に延設された空気流路と、該空気流路の一部に設けられたフィルタ収容室と、該空気流路を流れる空気流を形成するファンと、該フィルタ収容室に収容され空気流に含まれている汚れ物質を付着するフィルタとを有する空気清浄機において、
該空気流路の一部を形成するフィルタ出入口と、該フィルタ収容室に連通するように且つ該フィルタ収容室の空気流方向に沿った中心線を介して該フィルタ出入口に対して反対側に設けられ該フィルタの旋回を促進させる凹み部とを有し、
該凹み部を用いて該フィルタを旋回させつつ、該フィルタ出入口から該空気流路の延設方向に沿って該フィルタを移動させることにより、該フィルタ収容室に対する該フィルタの出し入れを行うようにしたことを特徴とする空気清浄機。
【請求項２】
請求項１において、該フィルタ出入口は該空気流路の下流側の吹出口であることを特徴とする空気清浄機。
【請求項３】
請求項１または請求項２において、該凹み部は、該フィルタ収容室の上流部及び下流部の少なくとも一方に、該フィルタの旋回を補助する案内部をもつことを特徴とする空気清浄機。
【発明の詳細な説明】
【０００１】
【発明の属する技術分野】
本発明は、空気中に含まれている汚れ物質を除去して清浄にするフィルタをフィルタ収容室に収容する空気清浄機に関する。本発明は例えば車両の室内の天井側に取り付けられる空気清浄機に適する。
【０００２】
【従来の技術】
特開平７−３１５０４４号公報（公開日：１９９５年１２月５日）には、図６に示すように、機内に延設された空気流路１０１と空気流路１０１の一部に設けられたフィルタ収容室１０２と、空気流路１０１を流れる空気流を形成するファンと、フィルタ収容室１０２に収容され空気流に含まれている汚れ物質を付着するフィルタ１０４とを有する自動車用空調装置が開示されている。
【０００３】
この公報技術においてはフィルタ収容室１０２自体は、空気流が流れる空気流路１０１に設けられている。しかしながらフィルタ１０４をフィルタ収容室１０２に挿入するためのフィルタ挿入経路は、空気流が流れる空気流路１０１とは独立した別の経路として設けられている。即ち図６に示すように、空気流路１０１の経路とは別の箇所にフィルタ出入口２００が形成されている。そしてフィルタ出入口２００とフィルタ収容室１０２とを連通すべく、フィルタ収容室１０２の筒体１０６の壁１０６ａに形成したスリット１０７と、スリット１０７の下方に設けられた空間１０８とにより、フィルタ出入口２００とフィルタ収容室１０２とをつないでいる。このようにフィルタ挿入経路を構成する空間１０８及びフィルタ出入口２００は、空気流が流れる空気流路１０１とは独立した別の経路とされている。
【０００４】
この公報技術では、空気流路１０１の延設方向（図６の紙面の垂直方向）つまり空気流の流れ方向に対して交差する方向（矢印Ｘ１方向）に沿って、薄盤状のフィルタ１０４をフィルタ出入口２００に挿入する。更に、空間１０８を利用して、空気流路１０１の延設方向（紙面の垂直方向）つまり空気流の流れ方向に対して交差する方向（矢印Ｘ２方向）に沿ってフィルタ１０４を旋回させつつ、スリット１０７からフィルタ収容室１０２に挿入する。
【０００５】
【発明が解決しようとする課題】
上記した図６に示す従来技術によれば、フィルタ１０４をフィルタ収容室１０２に挿入するためのフィルタ挿入経路は専用経路であり、空気流が流れる空気流路１０１とは独立した経路である。このような従来技術は、全体サイズの大型化を誘発する。この場合、コンパクト化の要請が強い場所、例えば車両の室内等に取り付ける装置としては、好ましいものではない。
【０００６】
サイズの小型を図るべく、フィルタ出入口２００のサイズＨを小さくすると、フィルタ１０４を旋回挿入させづらくなり、フィルタ１０４の出入操作が容易ではなくなる。フィルタ１０４の出入操作を容易にするにはフィルタ出入口２００の高さサイズＨを大きくすれば良いが、全体サイズの大型化を招く。
【０００７】
本発明はこのような事情に鑑みてなされたものであり、フィルタを旋回させつつフィルタ室に対して出し入れすることができ、しかも、空気流路とフィルタ挿入経路とを共通化でき、全体サイズのコンパクト化に貢献できる空気清浄機を提供することを課題とする。
【０００８】
【課題を解決するための手段】
本発明に係る空気清浄機は、機内に延設された空気流路と、空気流路の一部に設けられたフィルタ収容室と、空気流路を流れる空気流を形成するファンと、フィルタ収容室に収容され空気流に含まれている汚れ物質を付着するフィルタとを有する空気清浄機において、空気流路の一部を形成するフィルタ出入口と、該フィルタ収容室に連通するように且つフィルタ収容室の空気流方向に沿った中心線を介してフィルタ出入口に対して反対側に設けられフィルタの旋回を促進させる凹み部とを有し、
凹み部を用いてフィルタを旋回させつつ、フィルタ出入口から空気流路の延設方向に沿ってフィルタを移動させることにより、フィルタ収容室に対するフィルタの出し入れを行うようにしたことを特徴とするものである。
【０００９】
【発明の実施の形態】
・本発明によれば、空気流路の一部を形成するフィルタ出入口と、フィルタ収容室の空気流に沿った中心線を介してフィルタ出入口に対して反対側に設けられフィルタの旋回を促進させる凹み部とを有する。凹み部を用いてフィルタを旋回させつつ、空気流路の延設方向に沿って（つまり空気流の上流から下流への方向、あるいは、空気流の下流から上流への方向）、フィルタを移動させることにより、フィルタ出入口からフィルタの出し入れを行う。
【００１０】
このように空気流路の延設方向に沿ってフィルタの出し入れを行うため、フィルタ挿入経路を空気清浄機の空気流路自体で構成することができる。従って従来技術とは異なり、空気流路に対して専用のフィルタ挿入経路を別途設けずとも良い。このようにフィルタ挿入経路を空気流路自体で構成している本発明に係る空気清浄機では、空気流路の下流側の吹出口がフィルタ出入口を兼用することができる。場合によっては、出し入れされるフィルタとファンとが干渉しない条件で、空気流路の上流側の吸気口がフィルタ出入口を兼用しても良い。
【００１１】
・フィルタ出入口は、フィルタ収容室の空気流方向に沿った中心線に対して傾斜する向きに形成している形態を採用できる。この場合フィルタ収容室に対してフィルタを斜めに出し入れし易い。
【００１２】
・凹み部は、フィルタ収容室の上流部及び下流部の少なくとも一方に、フィルタの旋回を補助する案内部をもつ形態を採用できる。更に詳しくは、旋回促進用の凹み部のうち、フィルタ収容室の上流端には、上流に向かうにつれて次第にフィルタ収容室に向かう傾斜をもつ第１案内部が形成されている形態を採用できる。フィルタ収容室の下流端には、下流に向かうにつれてフィルタ収容室に向かう傾斜をもつ第２案内部が形成されている形態を採用できる。凹み部は第１案内部及び第２案内部の少なくとも一方を有することができる。
【００１３】
・フィルタとしては、ＰＰやＰＥＴ等の樹脂系材料から形成された不織布、あるいはガラス繊維フィルタを用いて形成することができる。塵埃等の捕獲のため、フィルタの表面積は大きいほど好ましいので、山折りと谷折りが交互に繰り返されたコルゲート形状とすることが望ましい。また必要に応じて帯電処理することも好ましい。フィルタは、活性炭、ゼオライト、シリカゲル等の少なくとも１種を主要成分とする層と、帯電処理した層とを積層して形成できる。
【００１４】
・フィルタは、光触媒を併有する形態でも良く、光触媒を併有していない形態でもよい。フィルタが光触媒を併有する場合には、粉末状の光触媒をスラリー化して塗布、浸漬等によりフィルタに含浸させたものを採用でき、あるいは、フィルタとをなる材料に粉末状の光触媒を塗り込んでも良い。光触媒は、たばこ等のにおい物質を除去するのに有効であり、TiO2 、 WO3 、 CdS、SrTiO3 、MoS2 等公知のものを用いることができる。取扱容易性や活性の程度を考慮すると、TiO2を用いることが望ましい。TiO2の結晶構造としては、ルチル型及びアナターゼ型のいずれも用いることができるが、一般的には触媒活性の大きいアナターゼ型の方が好ましい。光触媒の形状は特に制限されず、粉末状あるいは粒子状等のように種々の形状及び大きさとすることができる。この場合には光触媒物質自体を粉末状、粒子状としても良いし、あるいは、粉末状や粒子状の担体に光触媒を担持することにしても良い。担体としては例えばシリカゲル粒子、活性炭等があげられるが、これらに限定されるものではない。
【００１５】
・フィルタと光触媒とが空気清浄機に併有される場合には、光触媒はフィルタの下流側に配置しても上流側に配置しても良いが、フィルタで大きな粒子を捕獲できるため、大きな粒子が光触媒に付着することを抑制して光触媒の性能を高めること等を考慮すれば、光触媒はフィルタの下流に配置することが好ましい。光触媒を励起させる励起手段としては、発光ダイオード、ブラックライト、冷陰極管等を採用できる。この発光ダイオードとして短波長の光を発するものを採用でき、波長は例えば３６０ｎｍ〜４００ｎｍとすることができるが、この波長域に限定されるものではない。発光ダイオードとして窒化ガリウム（GaN）系を用いることができるが、これに限定されるものではない。発光ダイオードは小型素子であり、一般的には、設置のための空間を多く必要としないため、コンパクト化に有利である。また発光ダイオードは低電圧電流で発光するため、省電力に有利である。
【００１６】
なお、光触媒がフィルタの下流側に設けられる形態では、発光ダイオード等の励起手段をフィルタの下流側に配置することもできる。空気流路を流れる空気流中の塵埃等がフィルタで除去されるため、発光ダイオード等の励起手段に塵埃等が付着することは抑制され、発光ダイオード等の励起手段を保護するのに有利であり、発光ダイオード等の励起手段の必要能力を長期にわたり維持できる。
【００１７】
【実施例】
以下、本発明を具体化した実施例について、図面を参照しつつ説明する。
【００１８】
本実施例に係る空気清浄機は自動車等の車両の室内の天井側に取り付けられるものであり、図１に示すように、薄型つまり偏平型の本体１と、本体１のファン室１ａに配置されたファン２と、本体１内のフィルタ収容室１ｂに配置された第１吸着部として機能する集塵用のフィルタ３と、本体１内に配置された第２吸着部として機能する光触媒４０を収容した光触媒ホルダ４とを有する。図１に示すように、本体１は、車体の室内Ｒ側に吸気口１０ｔをもつ前面板１０と車体側の裏面板１１とを一体的に連結して形成された箱形のボディ１２と、室内Ｒに対面するようにボディ１２の下面に着脱可能に装備された化粧グリル５とをもつ。
【００１９】
図１において、前記した化粧グリル５は、本体１のボディ１２の下面の半分以上を覆うと共に多数のグリル吸気口５２を形成する吸気グリル５１と、吸気グリル５１に着脱可能に装着された吹出グリル５４とを有する。吸気グリル５１にはフィルタ出入口を兼ねる吹出口５３が形成されている。図２に示すように、この吹出口５３はフィルタ収容室１ｂの中心線Ｐに対して下向きとされている。本実施例の空気清浄機は室内Ｒの天井側に取り付けられるため、浄化した空気を吹出口５３から下方の室内Ｒに向けて吹き出すためである。図２に示すように、吹出口５３の法線５３ｍは、下方に移行するにつれてフィルタ収容室１ｂから離れる方向に傾斜している。吹出口５３は、浄化された空気流を室内Ｒに向けて吹き出す機能の他に、フィルタ３の出し入れを行うフィルタ出入口としても機能できる。
【００２０】
前記した吸気グリル５１は、室内Ｒに対面するように本体１の下面に着脱可能に装着されている。吹出グリル５４は室内Ｒに対面しており、多数のグリル吹出口５５をもつ。吹出グリル５４のサイズは吸気グリル５１よりも小さい。グリル吹出口５５はフィルタ収容室１ｂ及び室内Ｒに連通する。吹出グリル５４を吸気グリル５１の吹出口５３に取り付けるにあたっては、図２から理解できるように、吹出グリル５４の一端側の係止爪５６を吸気グリル５１の下流側の被係止部５１ｓに係止させると共に、吹出グリル５４の他端側のグリル係止爪５４ｘを吸気グリル５１の下流部５１ｓのグリル係止爪５１ｘに着脱可能に係止させる。
【００２１】
図１に示すように、本体１内においてグリル吹出口５５とグリル吸気口５２との間には空気流路１ｃが形成されている。空気流路１ｃにおいては、上流側から下流側にかけて、グリル吸気口５２に対面するファン２、主として塵埃等を捕獲するフィルタ３、主としてたばこ等の臭い等を除去する光触媒ホルダ４が順に配置されている。
【００２２】
図１に示すファン２は遠心ファン（例えば多翼ラジアルファン）であり、複数の回転羽根２０と、回転羽根２０を駆動させる駆動部２１とを有する。
【００２３】
本体１を構成する裏面板１１のうちフィルタ収容室１ｂにおいては、図１に示すように、フィルタ収容室１ｂの容積が増加する方向に裏面板１１の壁部分１１ｗを退避させることにより凹み部１５が形成されている。凹み部１５はフィルタ収容室１ｂの上部側に配置されており、後述から理解できるように、フィルタ３を旋回させるための旋回促進用空間として機能できる。図２から理解できるように、裏面板１１のうち凹み部１５を形成する壁部分１１ｗは、空気流に沿った向きのフィルタ収容室１ｂの中心線Ｐに沿って延設されている。図２から理解できるように、凹み部１５は、フィルタ収容室１ｂの中心線Ｐを介してフィルタ出入口でもある吹出口５３と反対側に設けられている。凹み部１５の凹み深さＨ１は、フィルタ３の高さＨＡよりもかなり小さく設定されている。なお、凹み部１５の凹み長さＬ１はフィルタ３の長さＬＡよりもやや少な目である。凹み部１５のうち、フィルタ収容室１ｂの上流端には、上流に向かうにつれて次第に下方（フィルタ収容室１ｂ）に向かう傾斜をもつ第１案内部１７が形成されている。フィルタ収容室１ｂの下流端には、下流に向かうにつれて下方（フィルタ収容室１ｂ）に向かう傾斜をもつ第２案内部１８が形成されている。
【００２４】
フィルタ３は主として集塵を目的とする集塵フィルタであり、空気透過性及び可撓性をもつ薄板状のフィルタ材を山部３ｍ及び谷部３ｎを交互に形成するようにプリーツ状に織り込まれて形成されており、全体外観は実質的に四角箱状（長さＬＡ、高さＨＡ、幅ＤＡ、図２及び図３参照）をなしており、図２に示すように、上面部３ｕ、下面部３ｄ、側面部３ｅをもつ。フィルタ３を構成するフィルタ材は、活性炭を主要成分とする層と、帯電処理した層とを積層した積層構造とされており、塵埃捕獲性を向上させている。図２に示すように、フィルタ３の上流端３ｆの端面３ｆｏは本体１の裏面板１１のフィルタ上流係止部１９に係止されており、これにより空気流路１ｃを流れる空気が凹み部１５内に進入しないようにシールしていると共に、フィルタ３の挿入方向への位置決めを行っている。フィルタ上流係止部１９は図３に示すように本体１の幅方向（矢印Ｅ方向）に沿って延設されており、フィルタ３の上流端３ｆの端面３ｆｏの全幅またはほぼ全幅をシールしている。
【００２５】
図２に示すように、フィルタ３の下流端３ｒの端面３ｒｏは、本体１の裏面板１１に保持されたフィルタ下流係止部１ｘに僅かに係止されており、これによってもフィルタ３の挿入方向への位置決め、フィルタ３のがた防止を行っている。なお図２に示すように、フィルタ下流係止部１ｘの下面である傾斜案内面１ｙは、下流側に移行するにつれて吹出グリル５４側に向けて下降傾斜しており、出し入れされるフィルタ３の傾斜動作を促進させ得る機能を有する。
【００２６】
更に、フィルタ３の下流端３ｒの下面部３ｄ、上面部３ｕ、側面部３ｅには、シール性の向上、フィルタ３のがたつきを一層抑えるためのクッション材３１が保持されている。即ち、図２に示すように、フィルタ３の上面部３ｕのクッション材３１が凹み部１５の下流端に接触するため、フィルタ３の上面部３ｕのシール性が良好に維持されると共に、フィルタ３のがたつきが一層防止が行われている。また図２に示すように、吹出グリル５４を閉じたときには、吹出グリル５４の押込凸部５７がフィルタ３の下面部３ｄのクッション材３１に押し込まれるため、フィルタ３の下面部３ｄのシール性が良好に維持されると共に、フィルタ３のがたつきが一層抑えられている。
【００２７】
上記したようにフィルタ３はフィルタ収容室１ｂにシール状態で収容されているため、空気流路１ｃを流れる空気は、凹み部１５を通過することは抑えられ、フィルタ３内を確実に通過するようになる。フィルタ３の下流端３ｒの上部には、フィルタ引張部材として機能できるタブ３３が一体的に設けられている。タブ３３を指先等で引っ張ると、フィルタ収容室１ｂ内のフィルタ３を吹出口５３の側に引き抜くことができる。
【００２８】
光触媒ホルダ４は主として脱臭を目的とする脱臭フィルタであり、フィルタ３の下流側において、下面が吹出グリル５４に対面すると共に上面が励起手段４９に対面するように設けられている。光触媒ホルダ４は空気透過性のための窓をもち、着脱可能に互いに一定的に取り付けられた第１ケース４１及び第２ケース４６で薄型つまり偏平型の箱状に形成されており、前述したように多数個の光触媒４０をがたつかないように光触媒４０を高密度で収容している。
【００２９】
光触媒４０は微小球状であり、TiO2を主要成分としている。図２に示すように、光触媒ホルダ４のうち、後述の励起手段４９に対向する側には、多数の網目をもつ金属製のメッシュ部材４２が配置されており、励起手段４９に背向する側には、空気透過製をもちゴムや樹脂等の高分子材料が被覆されたメッシュ部材４４、多数の網目をもつ金属製のメッシュ部材４３が敷設されている。これにより微小球状の光触媒４０の脱落を防止しつつ、微小球状の光触媒４０を高密度で光触媒ホルダ４内に収容でき、微小球状の光触媒４０ががたつかないようになり、且つ、空気透過性も確保されている。なお、メッシュ部材４４にはゴムや樹脂等の高分子材料が被覆されているため、微粒子形状の光触媒４０のがたつき音を抑えるのに有利である。
【００３０】
光触媒ホルダ４は吹出グリル５４の裏面５４ｒ側に着脱可能に装備されている。従って、本体１に取り付けられた吸気グリル５１の吹出口５３から吹出グリル５４が取り外されると、光触媒ホルダ４も同様に本体１から自動的に取り外される。更に吹出グリル５４から光触媒ホルダ４も取り外すことができるため、光触媒ホルダ４内の光触媒４０を交換するのに有利である。
【００３１】
図１、図２に示すように、光触媒ホルダ４に対面するように、光触媒ホルダ４の上方に、光触媒４０を励起させる励起手段４９が本体１内に保持されている。励起手段４９は多数個の発光ダイオード４９ｍを並設して形成されており、全体として薄型つまり偏平型をなしている。発光ダイオード４９ｍは窒化ガリウム系光半導体で形成されており、短波長（波長３６０〜４００ｎｍ）の光を光触媒４０に照射するものであり、空気流路１ｃに露出している。発光ダイオード４９ｍからの光が照射されると、光触媒４０は励起されて活性化し、光触媒４０に付着しているにおい物質等の物質を分解する作用が高まる。励起手段４９はフィルタ３の下流側に配置されているため、空気流に含まれている塵埃が発光ダイオード４９ｍに付着することは抑えられ、長期にわたる発光ダイオード４９ｍの光量の確保に有利であり、ひいては発光ダイオード４９ｍから照射される光で活性化される光触媒４０の浄化能の確保にも有利である。
【００３２】
本実施例に係る空気清浄機は、図３において、後側に設けられた爪部材９０、本体１の固定部１３の挿通孔１４に挿通された取付具等を利用して車両の天井側に取り付けられる。ここで本体１、励起手段４９、光触媒ホルダ４は薄型であるため、空気清浄機の薄型化に貢献でき、狭い室内Ｒにおいても天井壁部２００に沿って違和感なく配置され、車体の室内Ｒを広く確保するのに有利である。なお天井壁部は２００は内層２０２と外層２０１とからなる。
【００３３】
次に空気清浄機を使用する場合について説明する。この場合にはファン２を回転させると共に、励起手段４９の発光ダイオード４９ｍを発光させ光触媒４０を活性化させる。ファン２の回転により車両の室内Ｒの空気は、吸気グリル５１のグリル吸気口５２を介して吸気口１０ｔから吸引され、その空気流は空気流路１ｃを流れ、フィルタ３及び光触媒４０を順に経て浄化される。浄化された空気は吹出口５３を経て、吹出グリル５４のグリル吹出口５５から室内Ｒに吹き出される。このような運転の継続により室内Ｒが次第に清浄化される。空気中の塵埃等のように比較的大きい粒子はフィルタ３で捕獲され、空気中に含まれている臭い物質の粒子等のように極微の粒子は光触媒４０に吸着される。光触媒４０に付着された物質は次第に分解除去される。
【００３４】
空気清浄機の使用期間が長くなると、光触媒４０を交換する必要がある。この場合には、図２に示すように、吹出グリル５４のグリル係止爪５４ｘと吸気グリル５１のグリル係止爪５１ｘとの間の隙間５１ｎに、工具、コイン、指先等の挿入物ＳＡを挿入して適宜回動操作させる。これによりグリル係止爪５１ｘ、５４ｘの少なくとも一方を適宜弾性変形させ、吹出グリル５４のグリル係止爪５４ｘと吸気グリル５１のグリル係止爪５１ｘとの係止を解除する。すると、図４に示すように、光触媒ホルダ４が一体的に取り付けられた吹出グリル５４が、吹出グリル５４の係止爪５６の付近を回動中心として、矢印Ｂ１方向に自重により回動しつつ下降する。図４において、吸気グリル５１の下流側に設けられているストッパ部１ｍに、吹出グリル５４の係止爪５６が一次的に係止するため、吹出グリル５４は、矢印Ｂ１方向に沿って下方に回動するもののストッパ部１ｍから直ちには分離せず、下方に回動した状態に維持される。従って、ストッパ部１ｍは、吹出グリル５４を開放状態のまま本体１に一次的に保持する一次的保持手段として機能できる。
【００３５】
その後、吹出グリル５４全体を矢印Ｂ２方向に少量持ち上げてほぼ水平とし、吹出グリル５４の係止爪５６とストッパ部１ｍとの係止を解除する。解除した状態で、吹出グリル５４を本体１の吸気グリル５１から取り外して矢印Ｂ３方向に分離し、吹出口５３を開放する。更に、吹出グリル５４から光触媒ホルダ４を取り外し、新しい光触媒ホルダ４と交換する。そして新しい光触媒ホルダ４を吹出グリル５４に取り付ける。その後、吹出グリル５４の係止爪５６をストッパ部１ｍに係止させると共に、吹出グリル５４を矢印Ｂ２方向に上方旋回させ、吹出グリル５４のグリル係止爪５４ｘと吸気グリル５１のグリル係止爪５１ｘとを係止させ、吹出グリル５４を吸気グリル５１に着脱可能に取り付ける。なお、励起手段４９で励起される光触媒４０を有する光触媒ホルダ４の取外頻度は、フィルタ３の取外頻度に比較して少ないものである。
【００３６】
さて本実施例の特徴形態、即ち、フィルタ３を空気清浄機に取り付ける形態について説明を加える。この場合にはフィルタ３を空気流路１ｃに沿ってこれの下流側から上流側に向けて押し込み移動させる。即ち、図５から理解できるように、吹出グリル５４を本体１の吸気グリル５１の吹出口５３から分離し、フィルタ出入口である吹出口５３を開放させた状態で行う。図５に示すように、上流端３ｆが上側となり、下流端３ｒが下側となるようにフィルタ３を斜めに傾ける。その状態のフィルタ３をこれの上流端３ｆから吸気グリル５１の吹出口５３から矢印Ｄ４方向に沿ってフィルタ収容室１ｂに向けて挿入する。このときフィルタ下流係止部１ｘの傾斜案内面１ｙ及び凹み部１５の第２案内部１８の傾斜案内作用により、フィルタ３の上流端３ｆ付近を良好に案内することができる。
【００３７】
そして、フィルタ３の上流端３ｆの上部を凹み部１５に進入させつつ、フィルタ３が偏平型のフィルタ収容室１ｂに沿うようにフィルタ３を次第に水平に近くなるように押し込みつつ旋回させる。凹み部１５がフィルタ収容室１ｂに対面して形成されているため、斜めに傾斜したフィルタ３をほぼ水平に旋回させる旋回操作は容易となる。殊に本実施例においては、フィルタ３の上流端３ｆが第１案内部１７にあたれば、第１案内部１７の傾斜案内作用により、フィルタ３の上流端３ｆを下向きに案内することができ、フィルタ３を横向き（ほぼ水平状態）にさせる旋回操作が一層容易となる。
【００３８】
上記のようにしてフィルタ収容室１ｂにフィルタ３を取り付けた後に、吹出グリル５４を吸気グリル５１の吹出口５３に取り付ける。即ち、前述したように、吹出グリル５４の係止爪５６を吸気グリル５１のストッパ部１ｍに係止させると共に、吹出グリル５４を矢印Ｂ２方向に向けて上方旋回させ、吹出グリル５４のグリル係止爪５４ｘと吸気グリル５１のグリル係止爪５１ｘとを係止させ、吹出グリル５４を吸気グリル５１に取り付ける。
【００３９】
次に、フィルタ３を本体１のフィルタ収容室１ｂから取り外す場合について説明を加える。この場合には基本的にはフィルタ３をフィルタ収容室１ｂに取り付ける場合と逆の操作を行えば良く、フィルタ収容室１ｂ内のフィルタ３を空気流路１ｃの上流側から下流側に向けて引張って移動させる。即ち、まず吹出グリル５４を本体１の吸気グリル５１から外し、フィルタ出入口でもある吹出口５３を開放させる。そして図５から理解できるように、フィルタ３の下流端３ｒの上部に連結されているタブ３３を吹出口５３側に向けて矢印Ｄ５方向に引っ張りながら、フィルタ３をフィルタ収容室１ｂから引き抜く。このときフィルタ３の上流端３ｆの上部が凹み部１５に進入するように、フィルタ３の下流端３ｒが斜め下向きとなるように旋回させつつ、フィルタ３を更に引き抜く。本実施例では、フィルタ収容室１ｂの上部に凹み部１５が形成されているため、引き抜く際にも、ほぼ水平のフィルタ３を、これの上流端３ｆが上側となり下流端３ｒが下側となるように、傾斜させつつ旋回操作することは容易となる。
【００４０】
殊に本実施例においては、凹み部１５の下流に設けられている第２案内部１８や傾斜案内面１ｙの傾斜案内作用により、フィルタ３を斜め旋回する操作は一層容易となる。上記したように引き抜いた後、フィルタ３を清掃または交換する。そして清掃または交換したフィルタ３を前述のようにフィルタ収容室１ｂに再び取り付け、本体１に固定されている吸気グリル５１の吹出口５３に吹出グリル５４を取り付ける。
【００４１】
以上説明したように本実施例において、フィルタ出入口である吹出口５５の反対側に設けた凹み部１５を利用して、フィルタ３を旋回させつつ、フィルタ出入口である吹出口５５から空気流路１ｃの延設方向に沿って（空気流の上流から下流への方向、あるいは、空気流の下流から上流への方向）フィルタ３を移動させてフィルタ３の出し入れを行う。このように空気流が流れる空気流路１ｃの延設方向に沿ってフィルタ３を移動させて出し入れを行うことができるため、空気流路１ｃとフィルタ挿入経路とを共通化できる。従って図６に示す従来技術とは異なり、フィルタ３を出し入れする専用のフィルタ挿入経路を、空気流路１ｃに対して独立に別個形成せずとも良い。よって、本体１のサイズのコンパクト化に貢献でき、車両の室内Ｒの天井側に取り付ける空気清浄機に適する。
【００４２】
（その他）
上記した実施例では、フィルタ３は、空気透過性及び可撓性をもつ薄板状のフィルタ材を山部及び谷部を交互に形成するようにプリーツ状に織り込まれて形成されているが、これに限定されるものではなく、メッシュ材を用いても良い。メッシュ材は単層構造でも複層構造としても良い。フィルタ３は全体外観が実質的に四角箱状をなしているが、これに限らず円筒形状でも良い。フィルタ３を構成するフィルタ材は、活性炭を主要成分とする層と、帯電処理した層とを積層した積層構造とされているが、これに限らず単層構造でも良く、他の複層構造でも良い。フィルタ３はクッション材３１をもつが、シール性が維持されれば、クッション材３１を廃止しても良い。フィルタ３にはフィルタ引張部材として機能できるタブ３３が一体的に設けられているが、引張操作性が維持されれば、タブは無くても良い。その他、本発明は上記し且つ図面に示した実施例のみに限定されるものではなく、要旨を逸脱しない範囲内で適宜変更して実施できるものである。上記した実施例は本発明の概念を例示したものであり、実施例に記載の語句、部材、部材を修飾している語句は、一部であっても、各請求項に記載できるものである。
【００４３】
（付記）上記した記載から次の技術的思想も把握できる。
・各請求項において、フィルタは空気流路の延設方向に沿ってのびる長さを有する箱状または筒状であることを特徴とする空気清浄機。
・各請求項において、フィルタと別体または一体で光触媒が設けられており、光触媒を励起する励起手段は、フィルタ収容室に対して出入されるフィルタと干渉しない配置されていることを特徴とする空気清浄機。
・各請求項において、フィルタは撓み性をもつフィルタ材で形成されていることを特徴とする空気清浄機。
・各請求項において、フィルタ収容室にフィルタを係止させるフィルタ係止部がフィルタ収容室の上流端及び下流端の少なくとも一方に設けられていることを特徴とする空気清浄機。
・各請求項において、フィルタ出入口は空気流路の下流側に、凹み部はフィルタ収容室の上側に形成されていることを特徴とする空気清浄機。
・各請求項において、凹み部を形成する壁部分は、フィルタ収容室の中心線に沿って延設されていることを特徴とする空気清浄機。
・各請求項において、凹み部の凹み長さはフィルタの長さよりもやや少な目であることを特徴とする空気清浄機。
・各請求項において、フィルタ収容室にフィルタが収容されているとき、凹み部の上流端はフィルタの上流端または上流端付近によりシールされていることを特徴とする空気清浄機。
・各請求項において、フィルタ収容室にフィルタが収容されているとき、凹み部の下流端はフィルタの下流端または下流端付近によりシールされていることを特徴とする空気清浄機。
・各請求項において、空気流路においてフィルタ収容室の下流側に、光触媒、光触媒を励起させる励起手段が配置されていることを特徴とする空気清浄機。
・各請求項において、空気流路においてフィルタ収容室の下流側に、光触媒、光触媒を励起させる励起手段が配置されており、励起手段とフィルタ収容室との間には、フィルタの上流端が上側にフィルタの下流端が下側となるようにフィルタを案内する傾斜案内面が設けられていることを特徴とする空気清浄機。
【００４４】
【発明の効果】
本発明によれば、凹み部を用いてフィルタを旋回させつつ、フィルタ出入口から空気流路の延設方向に沿ってフィルタの出し入れを行うため、空気流路とフィルタ挿入経路とを共通化できる。よって従来技術とは異なり、フィルタを挿入するための専用のフィルタ挿入経路を別途設けずとも良く、空気清浄機のサイズのコンパクト化に貢献できる。
【図面の簡単な説明】
【図１】本発明の一実施例に係り、空気清浄機の断面図である。
【図２】本発明の一実施例に係り、空気清浄機のフィルタ及び光触媒ホルダ付近の拡大断面図である。
【図３】本発明の一実施例に係り、空気清浄機の平面図である。
【図４】本発明の一実施例に係り、吹出グリルを下方回動させた形態を示す拡大断面図である。
【図５】本発明の一実施例に係り、空気清浄機の本体のフィルタ収容室にフィルタを出し入れする過程を模式的に示す拡大断面図である。
【図６】従来技術に係り、フィルタ収容室にフィルタを出し入れする過程を模式的に示す断面図である。
【符号の説明】
図中、１は本体、１ｃは空気流路、１５は凹み部、１７は第１案内部、１８は第２案内部、２はファン、３はフィルタ、４は光触媒ホルダ、４０は光触媒、４９は励起手段、５１は吸気グリル、５２はグリル吸気口、５３は吹出口（フィルタ出入口）、５４は吹出グリル、５５はグリル吹出口をそれぞれ示す。
【図１】
0003757774.tif 000002
【図２】
0003757774.tif 000003
【図３】
0003757774.tif 000004
【図４】
0003757774.tif 000005
【図５】
0003757774.tif 000006
【図６】
0003757774.tif 000007